(57)【特許請求の範囲】
【請求項１】
自動車の横材（４）および少なくとも二つの縦材（６）を具える車体であって、
各縦材のための衝突エネルギを吸収する第１のフォームフィッテッング手段（８）および第２のフォームフィッテッング手段（１０、２０）が設けられ、当該第１および第２のフォームフィッテッング手段によって、スモールオーバーラップ衝突事故において選択的に少なくとも一つの縦材（６）に荷重負担が導入され、前記第２のフォームフィティング手段（１０、２０）が前記縦材との間の間隙または凹部を有しており、前記スモールオーバーラップ衝突事故において前記第２のフォームフィッテッング手段の間隙または凹部が第１のフォームフィッテッング手段の一部を受け入れて、前記縦材の長手方向に前記第１および第２のフォームフィッティング手段が嵌合してフォームフィッティング結合するように構成されていることを特徴とする車体。
【請求項２】
請求項１に記載の車体において、
前記第１のフォームフィッティング手段（８）がくさび形要素であり、前記第２のフォームフィッティング手段（１０）の間隙が前記くさび形要素の一部を受け入れるように構成されていることを特徴とする車体。
【請求項３】
請求項１または２に記載の車体において、
前記横材（４）が、部分的に、前記縦材（６）に対して９０°より小さい角度を有することを特徴とする車体。
【請求項４】
請求項１乃至３の何れか１項に記載の車体において、
前記第１および第２のフォームフィッティング手段（８、１０）が、前記横材（４）および／または前記縦材（６）に、一体化する接合方法によって連結されることを特徴とする車体。
【請求項５】
請求項１乃至４の何れか１項に記載の車体において、
前記縦材（６）および／または前記横材（４）が、鋼から構成されることを特徴とする車体。
【請求項６】
請求項１乃至５の何れか１項に記載の車体において、
少なくとも一つの前記フォームフィッティング手段（８、１０）が、鋼から構成されることを特徴とする車体。
【発明の詳細な説明】
【技術分野】
【０００１】
本発明は、自動車の横材と、少なくとも一つの縦材とを具える車体に関する。
【背景技術】
【０００２】
乗用車の後面衝突の大部分は２０ｋｍ／ｈより低い速度で発生するため、代表的な後面衝突におけるダメージを軽減する目的で、保護区画の衝突安全試験が開発されている。これらの試験方法によって、自動車保険は、乗用車を「ＡＺＴ試験」を用いたクラス型に分類している。自動車の前面全ての表面領域における前面衝突よりも、自動車の斜め前におけるスモールオーバーラップ衝突事故の方が、高い頻度で乗員を害する大きなリスクと関連している。これは、スモールオーバーラップ衝突事故では車体の縦材に近い領域のみが変形するため、自動車の中央の縦軸近くに配置される縦材は、たとえ荷重吸収を支持し得るとしても、不十分であることに起因している。これらの場合には、衝突エネルギを吸収すると乗車スペースが大きく変形してしまい、結果として乗員を害するリスクが増加する。したがって、特に車体前面の設計では、斜め前でのスモールオーバーラップ衝突事故の荷重吸収を改善する必要がある。
【０００３】
スモールオーバーラップ衝突事故のエネルギ吸収を改善するために、ＪＰ２００４０６６９３２Ａは、側方に縦材を拡大し、側方への拡大部を前面の横材とも連結させることを提案している。この方法によって、縦材によって荷重吸収が改善され得る。
【０００４】
上記の先行技術を発端とし、本発明は、スモールオーバーラップ衝突事故における荷重吸収が確実に改善されるような車体を決定するという目的に基づいており、この車体の変形性能は、表面領域全体にわたる衝突事故で実質的に損なわれることがない。
【０００５】
本発明によれば、少なくとも一つの縦材に衝突エネルギを吸収する手段が与えられ、当該手段によって、スモールオーバーラップ衝突事故において選択的に少なくとも一つの縦材に荷重経路が導入され、衝突事故において縦材の方向へフォームフィッティング結合を形成するようなフォームフィッティング手段が与えられる先述の車体によって、本目的が達成される。
【０００６】
スモールオーバーラップ衝突事故では、荷重吸収が選択的に増加することが認められており、このため本発明に係る手段は、フルオーバーラップ衝突した場合、特に２０ｋｍ／ｈよりも低い速度で後面に衝突した場合の、少なくとも一つの縦材との衝突エネルギ吸収に悪影響を与えない。荷重吸収の改良が選択的に生じることによって、スモールオーバーラップ衝突事故のときに、少なくとも一つの縦材に増加した荷重吸収を導入するような前面衝突事故では、衝撃を受けた車体部分の過度の剛性で乗員を危険な状態にさらすことなく、荷重吸収を増加させることができる。本発明に係る手段によって、側面のスモールオーバーラップ衝突事故での乗車スペースの変形を軽減することが達成され、それにより乗員の安全性が増加する。スモールオーバーラップ衝突事故の際に縦材方向にフォームフィッティング結合を形成する、フォームフィッティング手段を提供することにより、変形、特に縦材近くの領域における横材の座屈、および／または少なくとも一つの縦材の変形によって、フォームフィッティング結合の形成がもたらされる。結果として、スモールオーバーラップ衝突事故での乗車スペースの変形がさらに軽減され、乗員の安全性はさらに増加する。フォームフィッティング手段は、少なくとも一つの縦材上に配置されてもよいが、横材上に少なくとも部分的に配置されてもよい。
【０００７】
本発明によって設けられる横材は、例えば、前面および後面のバンパーとして設計され得る。車体の前部および後部領域の両方において、車体が本発明の構成を具えることも同様に考えられる。
【０００８】
好適には、フォームフィッティング手段は、少なくとも二つの接続部材を具える。
【０００９】
本発明に係る車体の好適な改良によれば、フォームフィッティング手段のうち少なくとも一つの接続部材が、くさび形要素として設計される。くさび形要素は、例示的には、横材上に配置されてもよいが、少なくとも一つの縦材に固定されてもよい。くさび形要素は、例示的には、金属シートまたは中空材として設計されてもよい。フォームフィッティング手段の接続部材は、くさび形要素の設計に加えて、例示的に断面が多角形、特に長方形の中空形状に設計されることも同様に考えられる。
【００１０】
さらにフォームフィッティング手段は、好適には、第二の接続部材として、例えばくさび形要素用のフォームフィッティング適合手段を含む。特に好適な実施例によれば、フォームフィッティング手段のうち少なくとも一つの接続部材は、ボルト型要素として設計される。衝突事故では、特にくさび形要素である第一の接続部材を、このボルト型要素によりフォームフィッティングの方法で適合させることが可能となる。フォームフィッティング手段は、第一の接続部材、特にくさび形要素が適合する接続部材として異なる手段を含むことも同様に考えられる。例示的には、くさび形または異なる設計の第一の接続部材に適合する適切な凹部または凸部を、縦材上に設けることができる。
【００１１】
代替的または追加的に、少なくとも一つの縦材に連結され、かつ第一の接続部材に適合するのに適したタブ形要素が設けられてもよい。特に好適には、タブ形要素と、凹部または凸部との両方が縦材上に配置され得る。したがって、フォームフィッティング手段は、三つの接続部材を含むことも考えられる。
【００１２】
横材は、好適に、少なくとも部分的に縦材に対して９０°より小さい角度を有する。衝突事故では、フォームフィッティング手段は縦材の方向により大きく動くので、当該角度のある領域が横材の外縁に設けられると、スモールオーバーラップ衝突事故において、少なくとも一つの縦材に荷重負担を特に効率的に導入することができる。
【００１３】
横材は、任意で、フォームフィッティング手段を適合させるための強化プレートを具えてもよく、当該強化プレートは、例示的に、少なくとも一つの縦材に対して９０°より小さい角度で配置される。少なくとも一つの縦材が、横材との接触領域に、衝突事故時に変形することによって、衝突エネルギを吸収できるクラッシュボックスを具えていればさらに有益である。クラッシュボックスは、少なくとも一つの縦材と、好適には一体的に接合されるか非確動的に接合され、特に好適にはネジ接合の方法によって接合される。
【００１４】
本発明に係る車体のさらなる有利な改良によれば、フォームフィッティング手段は、横材および／または少なくとも一つの縦材に、一体的な接合方法で、好適には溶接、鑞接または接着による方法で連結され、および／または非確動的な接合方法で、好適にはネジ接合で連結される。また、フォームフィッティング手段は、少なくとも一つの縦材または横材と、少なくとも部分的に一体成形することが考えられる。
【００１５】
さらなる有利な改良では、少なくとも一つの縦材および／または横材は、鋼から構成され、好適には多相鋼または超高強度熱間成形鋼から構成される。これは相当する縦材および／または横材は、特に高い強度を具備し、同時に縦材および／または横材の重量の最適化が達成され得るからである。少なくとも一つのフォームフィッティング手段も同じく、有利に鋼から構成され、好適には多相鋼または超高強度熱間成形鋼から構成される。
【図面の簡単な説明】
【００１６】
本発明は、図と共に実施例を用いて以下でより詳細に説明される。
【図１】図１は、本発明に係る車体の第一実施例の概略図を示している。
【図２】図２は、スモールオーバーラップ衝突事故における、本発明に係る車体の第一実施例の概略図を示している。
【図３】図３は、縦材とフルオーバーラップ衝突事故における、本発明に係る車体の第一実施例の概略図を示している。
【図４】図４は、スモールオーバーラップ衝突事故における、衝突エネルギを吸収するための、フォームフィッティング手段の第二実施例の概略図を示している。
【発明を実施するための形態】
【００１７】
図１は、本発明に係る車体２の第一実施例の概略図を示している。本発明に係る車体は、バンパー形態の横材４と、縦材６とを含む。また、衝突エネルギを吸収するための手段８、１０が、横材４および縦材６上に配置され、当該手段により、スモールオーバーラップ衝突事故において選択的に一つの縦材６に荷重負荷が導入される。
【００１８】
詳細には、車体２は横材４に設けられたくさび形要素８と、縦材６に設けられたボルト型要素１０とを含む。くさび形要素８は、好適には金属シートとして設計され、かつ好適には多相鋼または高強度熱間成形鋼で構成される。ボルト型要素１０は、角度のある形状である。９０°と１７０°との間の角度が特に適している。既に記載された、フォームフィッティング手段の他の接続部材の設計もまた、スモールオーバーラップ衝突事故において荷重吸収を増加させるのに適している。記載された実施例では、フォームフィッティング手段８、１０が、溶接による接合で横材４および／または縦材６と連結される。また、くさび形要素８は、ボルト型要素１０の断面より大きな距離で縦材６から離れており、このため、本発明によれば、フルオーバーラップ衝突事故の際、例えば、縦材６の後面衝突事故の際に、増加した荷重負担が縦材に導入されることがない。
【００１９】
図１で示された実施例は、本発明に係る自動車を示しており、スタート時の位置、すなわち衝突事故の場合ではない自動車を示している。縦材６は、クラッシュボックス１２を介して横材４と連結されている。クラッシュボックス１２は、ネジ接合１４により縦材に固定される。
【００２０】
横材４は、くさび形要素８と連結されている。横材４の末端部は縦材６に対して９０°よりも小さい角度を有する。結果として、スモールオーバーラップ衝突事故では、くさび形要素８が縦材６方向へ移動し始める。
【００２１】
図２は、概略図において、本発明に係る、スモールオーバーラップ衝突事故の車体の第一実施例を示しており、同じの符号は、本発明に係る車体の同じ構成要素を示している。衝突は、縦材６に隣接する車体領域のみを巻き込む。衝突の強さに応じて、縦材６および／または横材４のクラッシュボックス１２が変形する。図２は、変形によって、くさび形要素８が縦材６方向へと移動し、ボルト型要素１０とフォームフィッティング結合することを示している。
【００２２】
次に図３は、本発明に係る、特に２０ｋｍ／ｈ以下での縦材６の後面衝突事故であって、車体の第一実施例のフルオーバーラップ衝突事故での概略図を示しており、同じ符号は同じ構成要素を示している。この図は、縦材６の、少なくともクラッシュボックス１２が変形していることを示しているが、くさび形要素８は縦材６方向へと移動しない。結果として、くさび形要素８とボルト型要素１０との間にフォームフィッティング結合は形成されない。特にスモールオーバーラップ衝突事故のみにおいて、選択的に縦材に荷重負担が導入されるような本発明に係る構成によって、縦材が衝突に完全に巻き込まれる際の乗車スペースの変形をさらに軽減することが可能となる。
【００２３】
図４は、スモールオーバーラップ衝突事故での衝突エネルギを吸収するためのフォームフィッティング手段の、第二実施例の概略図を示している。図１から図３で示されたボルト型要素は、同様に、図４で示されるようなチャネル形の窪みを具える構成要素２０の形を含んでもよい。
【図１】
0006546169.tif 000002
【図２】
0006546169.tif 000003
【図３】
0006546169.tif 000004
【図４】
0006546169.tif 000005